(57)【特許請求の範囲】
【請求項１】
走行装置（２）の前方に設けた刈取装置（４）のテーブル（１４）を、搬送エレベーター（１５）を介して脱穀装置（３）に接続したコンバインにおいて、搬送エレベーター（１５）の基部のエレベーター駆動軸（１６）にはエンジンの駆動回転が入力される構成とし、搬送エレベーター（１５）のエレベーターケース（１７）内のエレベーター駆動軸（１６）に固定した左右一対の駆動歯車（１９）と受動回転する搬送用ドラム（２０）との間に所定間隔をおいて搬送体（２４）を複数設けた無端状の搬送チェン（２３）を掛け回し、前記搬送用ドラム（２０）はエレベーターケース（１７）内にて上下回動自在に構成し、エレベーターケース（１７）内の内側ドラム支持アーム（２６）とエレベーター側板（１８）の外側の外側アーム（２７）とはエレベーター側板（１８）を内側ドラム支持アーム（２６）と外側アーム（２７）との中間に位置させた状態でボルト（２８）により連結し、外側アーム（２７）に、前記内側ドラム支持アーム（２６）と外側アーム（２７）を回動自在に支持する回動支点軸（２５）の軸受（２９）を設ける構成としたコンバイン。
【請求項２】
請求項１記載の発明において、搬送用ドラム（２０）を上下回動させる左右一対の外側アーム（２７）には搬送用ドラム（２０）を下方に押し付けるように付勢するスプリング（３５）をそれぞれ設け、スプリング（３５）は各外側アーム（２７）の所定位置に設けたフック（３６）にスプリング（３５）の一端を係止し、スプリング（３５）の他端にはエレベーター側板（１８）の外面側に前後移動自在に設けた調節ロッド（３７）を係止したコンバイン。
【請求項３】
請求項２記載の発明において、スプリング（３５）と調節ロッド（３７）は後方に向けて長く形成し、左側のスプリング（３５）と調節ロッド（３７）は左側のエレベーター側板（１８）の外側方に配置した刈刃駆動チェン（４０）の周回域の内側に配置した構成としたコンバイン。
【請求項４】
請求項２または請求項３記載の発明において、外側アーム（２７）とエレベーター側板（１８）との間に、エレベーター側板（１８）に対して前後移動自在に取付けた回動支点プレート（４３）を設け、回動支点プレート（４３）の端部に、回動支点プレート（４３）を前後移動させる押し調節具４４を取付けたコンバイン。
【請求項５】
請求項２または請求項３または請求項４記載の発明において、内側ドラム支持アーム（２６）または外側アーム（２７）の移動路に、搬送用ドラム（２０）をエレベーターケース（１７）の底板に対して所定高さ位置に位置させるストッパー（４５）を設けたコンバイン。
【発明の詳細な説明】
【技術分野】
【０００１】
本発明は、コンバインに係るものである。
【背景技術】
【０００２】
従来、刈取装置が刈り取った穀稈を脱穀装置に搬送する搬送エレベーターの搬送用ドラムを上下動自在にした構成は、公知である（特許文献１参照）。
この搬送エレベーターは搬送用ドラムをエレベーターケース内に設けた左右一対の内側アームにより上下回動させる構成である。
【先行技術文献】
【特許文献】
【０００３】
【特許文献１】特開２０１２−２１０１６４号公報
【発明の概要】
【発明が解決しようとする課題】
【０００４】
前記公知例は、左右一対の内側アームを左右方向の回動軸で連結する構成のため、この連結軸に搬送物が絡まるという課題がある。
また、公知例では内側アームの搬送用ドラム寄りの位置にエレベーターの側板より側方に突出するスプリング取付軸を設け、このスプリング取付軸に搬送用ドラムを下降させるスプリングを設けているため、スプリング取付軸の上下および前後移動に干渉しないようにエレベーターの側板に大きな開口部を設ける必要があり、この開口部から搬送物や塵埃が漏れるという課題がある。
本願は、エレベーターケース内の搬送用ドラムの上下機構を工夫して、搬送物の詰まり発生を防止し、また、搬送物の漏れを防止できるようにしたものである。
【課題を解決するための手段】
【０００５】
請求項１記載の発明では、走行装置２の前方に設けた刈取装置４のテーブル１４を、搬送エレベーター１５を介して脱穀装置３に接続したコンバインにおいて、搬送エレベーター１５の基部のエレベーター駆動軸１６にはエンジンの駆動回転が入力される構成とし、搬送エレベーター１５のエレベーターケース１７内のエレベーター駆動軸１６に固定した左右一対の駆動歯車１９と受動回転する搬送用ドラム２０との間に所定間隔をおいて搬送体２４を複数設けた無端状の搬送チェン２３を掛け回し、前記搬送用ドラム２０はエレベーターケース１７内にて上下回動自在に構成し、エレベーターケース１７内の内側ドラム支持アーム２６とエレベーター側板１８の外側の外側アーム２７とはエレベーター側板１８を内側ドラム支持アーム２６と外側アーム２７との中間に位置させた状態でボルト２８により連結し、外側アーム２７に、前記内側ドラム支持アーム２６と外側アーム２７を回動自在に支持する回動支点軸２５の軸受２９を設ける構成としたコンバインとしたものである。
請求項２記載の発明では、搬送用ドラム２０を上下回動させる左右一対の外側アーム２７には搬送用ドラム２０を下方に押し付けるように付勢するスプリング３５をそれぞれ設け、スプリング３５は各外側アーム２７の所定位置に設けたフック３６にスプリング３５の一端を係止し、スプリング３５の他端にはエレベーター側板１８の外面側に前後移動自在に設けた調節ロッド３７を係止したコンバインとしたものである。
請求項３記載の発明では、スプリング３５と調節ロッド３７は後方に向けて長く形成し、左側のスプリング３５と調節ロッド３７は左側のエレベーター側板１８の外側方に配置した刈刃駆動チェン４０の周回域の内側に配置した構成としたコンバインとしたものである。
請求項４記載の発明では、外側アーム２７とエレベーター側板１８との間に、エレベーター側板１８に対して前後移動自在に取付けた回動支点プレート４３を設け、回動支点プレート４３の端部に、回動支点プレート４３を前後移動させる押し調節具４４を取付けたコンバインとしたものである。
請求項５記載の発明では、内側ドラム支持アーム２６または外側アーム２７の移動路に、搬送用ドラム２０をエレベーターケース１７の底板に対して所定高さ位置に位置させるストッパー４５を設けたコンバインとしたものである。
【発明の効果】
【０００６】
請求項１記載の発明では、エレベーターケース１７内の内側ドラム支持アーム２６とエレベーター側板１８の外側の外側アーム２７とをエレベーター側板１８を挟んでボルト２８により連結し、外側アーム２７に回動支点軸２５の軸受２９を設ける構成としているので、左右の内側アームを左右方向の回動軸で連結する必要はなく、エレベーター内での詰まり発生を防止できる。
請求項２記載の発明では、搬送用ドラム２０を上下回動させる外側アーム２７には搬送用ドラム２０を下方に押し付けるように付勢するスプリング３５を設け、スプリング３５は外側アーム２７の所定位置に設けたフック３６にスプリング３５の一端を係止し、スプリング３５の他端にはエレベーター側板１８の外面側に前後移動自在に設けた調節ロッド３７を係止しているので、エレベーター側板１８に不要な開口部を設けることなく、搬送用ドラム２０を下降させるスプリング３５を設けることができ、その結果、スプリング３５を設けることに起因する搬送物の漏れも防止できる。
請求項３記載の発明では、スプリング３５と調節ロッド３７は後方に向けて長く形成し、左側のスプリング３５と調節ロッド３７は左側のエレベーター側板１８の外側方に配置した刈刃駆動チェン４０の周回域の内側に配置した構成としているので、刈刃駆動チェン４０とエレベーター側板１８の間の空間を利用して左側のスプリング３５と調節ロッド３７を配置できる。
請求項４記載の発明では、外側アーム２７とエレベーター側板１８との間に、エレベーター側板１８に対して前後移動自在に取付けた回動支点プレート４３を設け、回動支点プレート４３の端部に、回動支点プレート４３を前後移動させる押し調節具４４を取付けているので、回動支点プレート４３を前後に移動させるだけで搬送用ドラム２０を前後移動させることでき、搬送チェン２３の張り調節（テンション調節）が容易に行える。
請求項５記載の発明では、内側ドラム支持アーム２６または外側アーム２７の移動路に、搬送用ドラム２０をエレベーターケース１７の底板に対して所定高さ位置に位置させるストッパー４５を設けているので、搬送用ドラム２０の下限位置を決めることができ、最小搬送通路を確保できると共に、回動支点軸２５の前方にストッパー４５を設けているので、ストッパー４５の受け荷重も少なくて済み、ストッパー４５をコンパクト化できる。
【図面の簡単な説明】
【０００７】
【図１】コンバインの側面図。
【図２】搬送エレベーターの搬送ドラムの支持機構の平面図。
【図３】搬送エレベーターの側面図。
【図４】搬送エレベーターの平面図。
【図５】搬送ドラムの支持機構の縦断正面図。
【図６】（Ａ）搬送ドラムの支持機構の他の実施形態の平面図。                          （Ｂ）搬送エレベーターの側面図。
【図７】（Ａ）搬送ドラムの支持機構の他の実施形態の平面図。                          （Ｂ）搬送エレベーターの側面図。                                            （Ｃ）搬送ドラムの支持機構の一部平面図。                                    （Ｄ）搬送ドラムの支持機構の一部側面図。
【図８】（Ａ）搬送ドラムの支持機構の他の実施形態の平面図。                          （Ｂ）搬送エレベーターの側面図。                                            （Ｃ）搬送ドラムの支持機構の一部正面図。                                    （Ｄ）搬送ドラムの支持機構の一部側面図。
【図９】（Ａ）搬送ドラムの支持機構の他の実施形態の平面図。                          （Ｂ）搬送エレベーターの側面図。                                            （Ｃ）搬送ドラムの支持機構の一部正面図。                                    （Ｄ）搬送ドラムの支持機構の一部側面図。
【発明を実施するための形態】
【０００８】
本発明の一実施形態を図面により説明すると、１は機体フレ−ム、２は機体フレ−ム１の下方位置に設けた走行装置、３は機体フレ−ム１の上方位置に設けた脱穀装置、４は機体フレ−ム１の前方に設けた刈取装置、５は前記脱穀装置３の側部に設けた該脱穀装置３より取出された穀物を一時貯留するグレンタンク、６は操縦部である（図１）。
刈取装置４は、前方に設けた左右の分草装置１０と、穀稈を掻き込む掻込リール１１と、掻き込んだ穀稈を刈り取る刈刃１２と、刈り取った穀稈を集めるオーガー（図示省略）とを、テーブル１４に取付けて構成する。刈取装置４はテーブル１４に搬送エレベーター（搬送装置）１５の先端を取付け、搬送エレベーター１５の基部は脱穀装置３の脱穀室（図示省略）に接続する（図１）。
【０００９】
搬送エレベーター１５の基部のエレベーター駆動軸１６にはエンジン（図示省略）の回転が入力される構成とし、このエレベーター駆動軸１６は前記刈取装置４へ回転伝達する刈取入力軸と兼用する構成としている（図３）。
また、搬送エレベーター１５と刈取装置４はエレベーター駆動軸１６を回動支点として上下回動する。
エレベーター駆動軸１６は、搬送エレベーター１５のエレベーターケース１７の左右側板１８に回転自在に軸装し、エレベーターケース１７内のエレベーター駆動軸１６には左右一対の駆動歯車１９を固定する。駆動歯車１９と受動回転する搬送用ドラム２０の左右一対の歯部２１との間に無端状の搬送チェン２３を掛け回す。搬送チェン２３には所定間隔をおいて搬送体２４を複数設ける。
【００１０】
搬送用ドラム２０は、搬送用ドラム２０の後方に設けた回動支点軸２５を支点にエレベーターケース１７内にて上下回動自在に構成する。
そのため、搬送穀稈量が多くなったときの詰まり発生を防止する。
エレベーターケース１７内の内側ドラム支持アーム２６とエレベーター側板１８の外側の外側アーム２７とをエレベーター側板１８を挟んでボルト２８により連結し、外側アーム２７に回動支点軸２５の軸受２９を設ける構成とする。
そのため、内側の内側ドラム支持アーム２６と外側アーム２７をエレベーター側板１８を挟んでつなぐ為、アームが強固になり作動が安定する。
外側アーム２７は、外側アーム２７の本体３０の後部に本体３０より外側に位置する段付き板部３１を設け、段付き板部３１の部分を回動支点軸２５を介して軸受２９に回動自在に取付ける。
そのため、外側アーム２７自体段付き板とするので外側アーム２７が更に強固になり耐久性を向上させられる。
【００１１】
受動回転の搬送用ドラム２０を上下回動させる外側アーム２７には搬送用ドラム２０を下方に押し付けるように付勢するスプリング３５を設ける構成とする。
そのため、搬送用ドラム２０を常時下方に位置させて、搬送用ドラム２０の上下振動を防止して、搬送エレベーター１５の全体の振動発生を抑制する。
具体的には、外側アーム２７の長さ方向に対して交差方向に突出するフック３６を設け、フック３６にスプリング３５の一端（前端）を係止し、スプリング３５の他端には調節ロッド３７の前端を係止し、調節ロッド３７の後部の螺子軸部をエレベーター側板（固定側）１８に設けたステー３８に螺合させる。
そのため、調節ロッド３７を後方に移動させると、スプリング３５の弾力を強くし、搬送用ドラム２０の下方押付力を強くし、調節ロッド３７を前方に移動させると、スプリング３５の弾力を弱くし、搬送用ドラム２０の下方押付力を弱く調節できる。
【００１２】
また、スプリング３５の弾力で、エレベーターケース１７内の搬送物の通過量によって搬送用ドラム２０の通路隙間を広狭に自動調節でき、搬送物の少量多量にかかわらず穀稈も取り込みが良くなる。
また、スプリング３５は、外側アーム２７の回動支点軸２５の軸受２９近傍に設置できるので、搬送用ドラム２０の上下回動のテンション機構をエレベーター側板１８の外側に配置でき、調節を容易にでき、組立も容易にする。
また、搬送用ドラム２０の上下回動のテンション機構を設けるに当たり、エレベーター側板１８に無用な開口部を設ける必要がなく、エレベーターケース１７からの穀粒洩れを防止することもできる。
【００１３】
また、スプリング３５と調節ロッド３７は後方に向けて長く形成し、左側のスプリング３５と調節ロッド３７は左側のエレベーター側板１８の外側方に配置した刈刃駆動チェン４０の周回域の内側に配置した構成とする。
そのため、刈刃駆動チェン４０とエレベーター側板１８の間の空間を利用して左側のスプリング３５と調節ロッド３７を配置でき、チェンカバー内にて保護され安全である。
また、外側アーム２７とエレベーター側板１８間に回動支点プレート４３を設ける。
そのため、アーム回動支点プレート４３を直接エレベーター側板１８に固定でき、強固な支持となり耐久性が向上する。
回動支点プレート４３には回動支点軸２５の基部を固定し、回動支点軸２５の外端は段付き板部３１に設けた軸受２９に軸装する。
【００１４】
また、回動支点プレート４３に対応する部分の、エレベーター側板１８の内側には内側回動支点プレート４２を設け、回動支点プレート４３と内側回動支点プレート４２とによりエレベーター側板１８を左右側から挟持させ、内側回動支点プレート４２に設けたボルト４１に回動支点プレート４３の外側からナット４１Ａを螺合させて固定する（図３）。
また、エレベーター側板１８に固定した回動支点プレート４３を前後移動調整自在に取付ける。
そのため、回動支点プレート４３を前後に移動させるだけで搬送用ドラム２０を前後移動させることでき、搬送チェン２３の張り調節（テンション調節）が容易に行える。
回動支点プレート４３を前後移動調整構成は、外側アーム２７の段付き板部３１の後端部部分に、押し調節具４４を取付けた構成とする。
【００１５】
そのため、搬送チェン２３の張り調節（テンション調節）の容易化が図れ、左右の張り量が押し調節具４４の位置で確認（視認）でき、左右の押し調節具４４の位置が一定になる。
なお、図示は省略するが、エレベーターケース１７の側板１８に左右の押し調節具４４の位置を示す目盛り等の表示を設けると、一層、張り調節（テンション調節）の容易化と左右バランスの精度を向上させられる。
また、回動支点プレート４３を介してドラムアームとなるエレベーターケース１７内の内側ドラム支持アーム２６とエレベーター側板１８の外側の外側アーム２７とを直接前後させるので、回動支点軸２５などに無理な荷重が掛からず、耐久性を向上させられる。
回動支点プレート４３を前後移動させて搬送チェン２３のテンション力を調節すると、回動支点プレート４３を前後移動に伴いスプリング３５の張力が変化することになるが、調節ロッド３７の後部の螺子軸部で調整することにより、スプリング３５の張力を適切に設定することができる。
【００１６】
また、エレベーターケース１７内の内側ドラム支持アーム２６の上下回動の移動路の所定位置には、搬送用ドラム２０をエレベーターケース１７の底板に対して所定高さ位置に位置させるストッパー４５を設ける。
そのため、搬送用ドラム２０の下限位置を決めることができ、最小搬送通路を確保できると共に、回動支点軸２５の前方で、かつ、内側ドラム支持アーム２６の下方にストッパー４５を設けているので、ストッパー４５の受け荷重も少なくて済み、ストッパー４５をコンパクト化できる。
また、外側アーム２７の前方下部にストッパー４５を設ける構成としてもよい。
そのため、エレベーターケース１７の外側にストッパー４５を設けるので点検しやすく、調節やメンテがし易い。
【００１７】
エレベーターケース１７内の内側ドラム支持アーム２６または外側アーム２７の前方下部にストッパー４５を設けた構成において、ストッパー４５は緩衝ゴム部材で構成する。
そのため、搬送用ドラム２０の上下時の内側ドラム支持アーム２６または外側アーム２７がストッパー４５に当接する際の衝撃荷重が緩和されると共に、衝撃音（異音）が緩和できる。
左右の内側ドラム支持アーム２６は、回動支点軸２５と軸受２９によりエレベーターケース１７の側板１８に回動自在に取付ける。回動支点軸２５と軸受２９は、回動支点プレート４３によりエレベーターケース１７に対して前後移動調整自在に取付ける。
回動支点プレート４３の端部（後部）に押し調節具４４を取付け、押し調節具４４をエレベーターケース１７側に前後移動自在に取付ける。
【００１８】
そのため、エレベーター側板１８外にあるので、回動支点軸２５の軸受２９等の組付容易化とメンテナンス性を向上させられる。
また、回動支点軸２５と内側ドラム支持アーム２６を簡単に連結できシンプルであり、回動支点軸２５のみ交換も可能なので耐久性が維持できる。
図６は、搬送用ドラム２０の上下揺動構成の他の実施形態を示し、エレベーターケース１７の内側にのみ揺動できる左右一対の内側ドラム支持アーム２６を設けた構成とする。
そのため、内側の内側ドラム支持アーム２６のみで搬送用ドラム２０を上下揺動させることができ、シンプルな構成となり、組立・メンテナンスが容易となる。
【００１９】
この場合、左右一対の内側ドラム支持アーム２６の回動支点軸２５より後方の後側突出部２６Ａには、左右方向の長手部材により形成した連結杆４６により連結する。
そのため、内側ドラム支持アーム２６のみでありながら、搬送用ドラム２０と連結杆４６により四角形の枠体状となり、強固な構成となる。
この場合、連結杆４６は左右中間部分にて分割し、各分割端部部分にフランジ部４７を設け、各フランジ部４７を当接させてボルト４８により固定する。
なお、左右のフランジ部４７間に隙間が生じた場合には、シム板（スペーサー）を隙間に挿入させる等の対処を行う。
【００２０】
また、左右一対の内側ドラム支持アーム２６の回動支点軸２５より後方の後側突出部２６Ａを連結する左右の連結杆４６の何れか一方には、スプリング３５の一端（前端）を係止し、スプリング３５の他端には調節ロッド３７の下端を係止し、調節ロッド３７の上部の螺子軸部をエレベーターケース１７の天井板１７Ａ側に螺合させる。
そのため、調節ロッド３７を上方に移動させると、スプリング３５の弾力を強くし、搬送用ドラム２０の下方押付力を強くし、調節ロッド３７を下方に移動させると、スプリング３５の弾力を弱くし、搬送用ドラム２０の下方押付力を弱く調節できる。
そのため、スプリング３５のバネ弾力で搬送用ドラム２０の下の通路隙間が広狭に変化し、少量多量にかかわらず穀稈も取り込みが良くなる。
また、連結杆４６を直接引張るので、またスプリング３５は単一で済むため簡素である。
【００２１】
また、引張スプリング３５は上向きにし、調節ロッド３７をエレベーターケース１７の天井部１７Ａに貫通させる。
そのため、調節ロッド３７がエレベーターケース１７の上側に出るので、点検調整メンテナンス性が良くなる。
また、回動支点プレート４３と押し調節具４４はエレベーターケース１７の外側にあり、回動支点プレート４３を押すだけで容易に搬送用ドラム２０と搬送チェン２３を緊張させられる。
すなわち、搬送チェン２３は搬送負荷等により搬送用ドラム２０を後方移動させて、弛むことになるが、押し調節具４４は、回動支点プレート４３の当接部４３Ａに当接させることにより、回動支点軸２５と軸受２９を介して内側ドラム支持アーム２６を前方移動させ、これにより、搬送用ドラム２０を前方移動させて搬送チェン２３を緊張させる。
【００２２】
図７は、搬送用ドラム２０の上下揺動構成の他の実施形態を示し、エレベーターケース１７内側の左右内側ドラム支持アーム２６の回動軸芯を、中空パイプ５０で連結する構成としている。
そのため、搬送用ドラム２０と中空パイプ５０とで四角の枠となり、揺動構成物が強固になり、作動が安定する。
この場合、中空パイプ５０の左右両端に軸受２９を内装する。
そのため、搬送用ドラム２０の内側ドラム支持アーム２６の上下揺動構成がシンプルかつ安価に構成できる。
中空パイプ５０の両端に軸受２９を内装すると共に、中空パイプ５０の片側または両側とも内側ドラム支持アーム２６に着脱自在かつ回転自在に取付ける。
【００２３】
すなわち、図７では、中空パイプ５０の片側（左側）に内側回動支点プレート４２を設け、回動支点プレート４３と内側回動支点プレート４２とによりエレベーター側板１８を左右側から挟持させている。
そのため、内側ドラム支持アーム２６を分割することでエレベーターケース１７内での組立性が良く、軸受２９等の部品交換し易くなり耐久性向上が図れる。
この場合、中空パイプ５０の両端に軸受２９を内装すると共に、エレベーターケース１７の外側に回動支点プレート（軸付支点板）４３を前後移動自在に取付ける。
そのため、回動支点プレート４３の回動支点軸２５を、中空パイプ５０の左右両端の軸受２９に挿入することで、簡素に内側ドラム支持アーム２６の回動支点軸２５を支持できる。
【００２４】
また、エレベーターケース１７の外側に回動支点プレート（軸付支点板）４３を取付けるのでメンテナンス性も良い。
回動支点プレート（軸付支点板）４３は、エレベーターケース１７の側板１８の外側に前後移動自在に取付け、回動支点プレート（軸付支点板）４３には押し調節具（押しボルト）４４の前端を当接させる構成とする。
そのため、エレベーターケース１７の外側の押し調節具４４を前後させると、回動支点プレート（軸付支点板）４３を前後動（主として前方移動）させられ、これにより、容易に搬送用ドラム２０と搬送チェン２３のテンション調節が可能となる。
【００２５】
また、中空中空パイプ５０の左右方向の所定位置には、中空パイプ５０の長さ方向に対して交差方向に突出するフック３６を設け、フック３６にスプリング３５の一端（前端）を係止し、スプリング３５の他端には調節ロッド３７の前端を係止し、調節ロッド３７の後部の螺子軸部をステー３８に螺合させる。
すなわち、中空パイプ５０の搬送用ドラム２０の反対側にステー３８と調節ロッド３７と圧縮スプリング３５を設ける。
そのため、調節ロッド３７を後方に移動させると、スプリング３５の弾力を強くし、搬送用ドラム２０の下方押付力を強くし、調節ロッド３７を前方に移動させると、スプリング３５の弾力を弱くし、搬送用ドラム２０の下方押付力を弱く調節できる。
【００２６】
また、スプリング３５の弾力で搬送用ドラム２０の下の通路隙間が開閉し、少量多量にかかわらず穀稈も取り込みが良くなる。
また、スプリング３５は単一で済むため簡素である。また圧縮スプリングのため耐久性も良い。（許容応力が引張りスプリングより高い）
連結用の中空パイプ５０と圧縮スプリング３５のステー３８の間には規制カラー５３を設ける。
そのため、規制カラー５３を調節ロッド３７に挿入するだけで容易に搬送用ドラム２０の最下げ位置を規制できる、シンプルなストッパ構成にできる。
この場合、規制カラー５３の端部に緩衝材５４を設ける。
そのため、規制カラ−５３に緩衝材５４を挟み込むだけで、搬送用ドラム２０の降下時の衝突力を緩和し、異音の発生防止も図れる。
【００２７】
また、引張スプリング３５は搬送チェン２３とエレベーターケース１７の側板１８の内面との間に配置した構成とする。
そのため、エレベーター側板１８の近くにスプリング３５を設けたので、搬送物の邪魔になり難い。
また、側板１８に近く強固にスプリング３５とそのステー３８を保持でき、耐久性が良い。
図８は、搬送用ドラム２０の上下揺動構成の他の実施形態を示し、エレベーターケース１７内側の左右内側ドラム支持アーム２６の回動軸芯を、内装ハブ（図示省略）を有する軸受２９を介して取付けた回動支点軸２５により構成する。
そのため、内側ドラム支持アーム２６に直接軸受２９を取付けているので、部品が集約され、廉価に構成できる。
【００２８】
また、軸受２９に内装ハブを設けているので、回動支点軸２５の支持剛性を向上させられる。
左右一対の内側ドラム支持アーム２６の回動支点となる軸受２９より後方の後側突出部２６Ａには、左右方向の長手部材により形成した連結杆４６により連結する。
そのため、内側ドラム支持アーム２６のみでありながら、搬送用ドラム２０と連結杆４６により四角形の枠体状となり、強固な構成となる。
この場合、連結杆４６はエレベーター１５の左右中央部分にて分割し、各分割端部部分にフランジ部４７を設け、フランジ部４７を当接させてボルト４８により締結固定する。
左右の内側ドラム支持アーム２６および連結杆４６が分割式のため組立性が良い。
アームＣＯＭＰは左右同一、または対称のため生産性が良い。
【００２９】
左右の各内側ドラム支持アーム２６を左右に分割した連結杆４６により連結すると共に、左右いずれか側の連結杆４６に引張スプリング３５を取付ける。
そのため、スプリング３５で搬送用ドラム２０下の通路隙間が開閉し、少量多量にかかわらず穀稈も取り込みが良くなる。
スプリング３５は左右何れか一方側に単一で設けるため簡素である。
また、スプリング３５は左右いずれか側の搬送チェン２３より外側で、かつ、上下の搬送チェン２３のチェンライン間に設ける。
そのため、エレベーターケース１７の側板１８の内面に近く、上下搬送チェン２３の間にスプリング３５を配置するので、搬送通路の邪魔にならず、スプリング３５の存在が稈停滞の原因とならない。
【００３０】
引張スプリング３５の後端には調節ロッド３７の前端を取付け、調節ロッド３７の後端はエレベーターケース１７の側板１８の内側に設けたステー３８に前後移動自在に螺合させる。
そのため、調節ロッド３７のステー３８が短いもので良く、強固に固定できる。
左右一対の内側ドラム支持アーム２６の回動支点より後方に延長させた後側突出部（後方延長部）２５Ａの回動移動路には、搬送用ドラム２０をエレベーターケース１７の底板に対して所定高さ位置に位置させるストッパー４５を設ける。
搬送用ドラム２０の下限位置を決めることが簡単に出来るため搬送通路が確保できる。
エレベーターケース１７の上方の穴（図示省略）からメンテ交換がし易い。
【００３１】
図９は、搬送用ドラム２０の上下揺動構成の他の実施形態を示し、エレベーターケース１７内側の左右内側ドラム支持アーム２６の回動軸芯である回動支点軸２５を、軸受２９により支持する構成とし、軸受２９は左右の内側ドラム支持アーム２６に固設し、左右の軸受２９は左右方向の長手軸６０で左右方向に貫通させて支持させる。
そのため、一本の長手軸６０で左右アームが容易に回動できる。左右の内側ドラム支持アーム２６の軸心の「芯出し」が容易になり、作動がスムーズになる。
エレベーターケース１７を貫通させた長手軸６０で左右両端には、前後移動調整自在の回動支点プレート４３を取付け、回動支点プレート４３の端部に、押し調節具４４を取付ける。
【００３２】
そのため、押し調節具４４を前後移動（主として前方移動）させることにより回動支点プレート４３を介して長手軸６０を前後移動させ、これにより、搬送チェン２３の張り調節（テンション調節）の容易化が図れ、左右の張り量が押し調節具４４の位置で確認（視認）でき、左右の押し調節具４４の位置が一定になる。
また、長手軸６０の回り止めをすると共に、位置決めができ、がたつきが無くなり耐久性が向上する。
また、長手軸６０の左右何れか一方端には回動支点プレート４３を溶接固定し、他端側の回動支点プレート４３の穴に長手軸６０を挿入嵌合させる。
そのため、回動支点となる長手軸６０を挿入作業だけで、容易に固定できるため、組立性やメンテナンス性も良くする。
【００３３】
左右の回動支点プレート４３の間の長手軸６０には規制カラー５３を設ける。
そのため、引き抜き可能な長手軸６０で構成できて安価でありながら、内側ドラム支持アーム２６の左右位置決めが確実になる。
軸受２９にフック３６を固設し、引張スプリング３５をエレベーターケース１７の側板１８際に設ける。
そのため、軸受２９を利用でき、内側ドラム支持アーム２６にスムーズな下向きの付勢力（復帰力）を与えられる。
搬送用ドラム２０が上下揺動するものにおいて、エレベーターケース１７内側に揺動できる左右内側ドラム支持アーム２６を設け、該内側ドラム支持アーム２６をエレベーターケース１７外から挿入し、内側ドラム支持アーム２６の回動支点軸２５を夫々の回動支点プレート４３で回動可能に支持した構成とする。
【００３４】
そのため、左右の内側ドラム支持アーム２６と支点軸のみで構成が簡素。側板内側にアームが確実に固定でき作動が安定する。
また、エレベーターケース１７内側に軸受２９を有する内側ドラム支持アーム２６を左右にそれぞれ設け、該内側ドラム支持アーム２６をエレベーターケース１７の外側から挿入して、内側ドラム支持アーム２６の回動支点軸２５を夫々の回動支点プレート４３で回動可能に支持した構成とすると共に、左右軸受２９に固定のフックと、エレベーター１５の左右側板１８を連結したステー間をスプリング３５で繋ぐ構成とする。
そのため、左右にスプリング３５を設けるので搬送用ドラム２０の復帰力が安定する。側板１８を繋ぐのでエレベーターケース１７の剛性も向上させられ、スプリング用ステーは単品シンプルで良い。
【符号の説明】
【００３５】
１…機体フレ−ム、２…走行装置、３…脱穀装置、４…刈取装置、５…グレンタンク、６…操縦部、１０…分草装置、１１…掻込リール、１２…刈刃、１３…オーガー、１４…テーブル、１５…搬送エレベーター、１６…エレベーター駆動軸、１７…エレベーターケース、１７Ａ…天井部、１８…側板、２０…搬送用ドラム、２１…歯部、２３…搬送チェン、２４…搬送体、２５…回動支点軸、２６…内側ドラム支持アーム、２７…外側アーム、２８…ボルト、２９…軸受、３０…本体、３１…段付き板部、３５…スプリング、３６…フック、３７…調節ロッド、３８…ステー、４０…刈刃駆動チェン、４３…回動支点プレート、４４…押し調節具、４５…ストッパー、４６…連結杆、４７…フランジ部、４８…ボルト、５０…中空パイプ、５１…軸付支点板、５３…規制カラー、５４…緩衝材、６０…長手軸。
【図１】
0006958604.tif 000002
【図２】
0006958604.tif 000003
【図３】
0006958604.tif 000004
【図４】
0006958604.tif 000005
【図５】
0006958604.tif 000006
【図６】
0006958604.tif 000007
【図７】
0006958604.tif 000008
【図８】
0006958604.tif 000009
【図９】
0006958604.tif 000010